(57)【要約】本発明は、携帯端末の背面に取り付けられて指を嵌める輪環を形成することにより、携帯端末がユーザーによって安全且つ容易に把持でき、リング部材に指を嵌めた状態で携帯端末を様々な角度で左右転させることができてユーザーの使い勝手が大幅に向上でき、携帯端末を用いて放送、映画などの映像コンテンツを視聴しようとする場合に卓上などの底面だけではなく、壁面に携帯端末を据え置き易くする携帯端末用のフィンガーリングに関する。本発明に係る携帯端末用のフィンガーリングは、携帯端末の背面に取り付けられるベースプレートと、前記ベースプレートに左右方向に回転自在に結合され、両側には係合溝が形成される回転突起と、前記回転突起の係合溝に両端部が上下方向に回動自在に結合されるリング部材と、を備える。また、本発明に係る携帯端末用のフィンガーリングは、前記リング部材に設けられる飾り部材と、前面には前記リング部材が着脱自在に装着される装着溝が形成され、背面には両面テープによって特定の位置に取付け可能な取付面が形成される取付板をさらに備えてなり、前記リング部材は、ユーザーの力による強制回動時に、自体弾性による押込み結合によってその回動状態が保たれることにより、前記携帯端末の据置台として用いられる。【選択図】なし
2014503160.tif 000002
【特許請求の範囲】
【請求項１】
一方の側面は携帯端末の背面に取り付けられ、他方の側面には係合溝が両側に形成された回転突起が左右転自在に結合されるベースプレートと、
前記回転突起の係合溝に両端部が上下方向に回動自在に結合されるリング部材と、
を備える携帯端末用のフィンガーリング。
【請求項２】
前記リング部材に設けられる飾り部材をさらに備えることを特徴とする請求項１に記載の携帯端末用のフィンガーリング。
【請求項３】
前記リング部材は、ユーザーの力による強制回動時に、自体弾性による押込み結合によってその回動状態が保たれることにより、前記携帯端末の据置台として用いられることを特徴とする請求項１に記載の携帯端末用のフィンガーリング。
【請求項４】
前面には前記リング部材が着脱自在に装着される装着溝が形成され、背面には両面テープによって特定の位置に取付け可能な取付面が形成される取付板をさらに備えることを特徴とする請求項１から請求項３のいずれか１項に記載の携帯端末用のフィンガーリング。
【請求項５】
一方の側面は携帯端末の背面に取り付けられ、他方の側面には貫通孔が形成された回転突起が左右転自在に結合されるベースプレートと、
前記回転突起の貫通孔に嵌入されるゴム管と、
前記ゴム管の両側に両端部が結合されて前記回転突起に上下方向に回動自在に結合され、一方の端部には前記ゴム管と連通される貫通孔が形成され、他方の端部には前記ゴム管と連通される螺子孔が形成されるリング部材と、
前記リング部材の貫通孔と前記ゴム管を貫通して前記リング部材の螺子孔に係合されつつ前記リング部材を前記ゴム管に結合させる係合螺子と、
を備える携帯端末用のフィンガーリング。
【請求項６】
前記リング部材に設けられる飾り部材をさらに備えることを特徴とする請求項５に記載の携帯端末用のフィンガーリング。
【請求項７】
前記リング部材は、ユーザーの力による強制回動時に、前記貫通孔の壁体に対する前記ゴム管の摩擦力によってその回動状態が保たれることにより、前記携帯端末の据置台として用いられることを特徴とする請求項５に記載の携帯端末用のフィンガーリング。
【請求項８】
前面には前記リング部材が着脱自在に装着される装着溝が形成され、背面には両面テープによって特定の位置に取付け可能な取付面が形成される取付板をさらに備えることを特徴とする請求項５から請求項７のいずれか１項に記載の携帯端末用のフィンガーリング。
【請求項９】
一方の側面は携帯端末の背面に取り付けられ、他方の側面には貫通孔が形成された回転突起が左右転自在に結合されるベースプレートと、
前記回転突起に設けられ、前記貫通孔内に突き出る弾性突起と、
前記回転突起の貫通孔に両端部が上下方向に回動自在に結合され、一方の端部には前記回転突起の貫通孔と連通される貫通孔が形成され、他方の端部には前記回転突起の貫通孔と連通される螺子孔が形成されるリング部材と、
前記リング部材の貫通孔と前記回転突起の貫通孔を貫通して前記リング部材の螺子孔に係合され、途中の外周面には前記弾性突起に接する鋸歯部が形成される係合螺子と、
を備える携帯端末用のフィンガーリング。
【請求項１０】
前記リング部材に設けられる飾り部材をさらに備えることを特徴とする請求項９に記載の携帯端末用のフィンガーリング。
【請求項１１】
前記リング部材は、ユーザーの力による強制回動時に、前記弾性突起と前記係合螺子の鋸歯部との結合によってその回動状態が保たれることにより、前記携帯端末の据置台として用いられることを特徴とする請求項９に記載の携帯端末用のフィンガーリング。
【請求項１２】
前面には前記リング部材が着脱自在に装着される装着溝が形成され、背面には両面テープによって特定の位置に取付け可能な取付面が形成される取付板をさらに備えることを特徴とする請求項９から請求項１１のいずれか１項に記載の携帯端末用のフィンガーリング。
【請求項１３】
一方の側面は携帯端末の背面に取り付けられ、他方の側面には貫通孔が形成された回転突起が左右転自在に結合され、前記回転突起の両側には前記貫通孔の周りに凹溝が所定の角度ごとに放射状に形成される第１の平面部がそれぞれ配設されるベースプレートと、
前記ベースプレートの貫通孔内に嵌入されるバネと、
前記バネに両端部が結合されて前記回転突起に上下方向に回動自在に結合され、一方の端部には前記回転突起の貫通孔と連通される貫通孔が形成され、他方の端部には前記回転突起の貫通孔と連通される螺子孔が形成され、両端部側には前記ベースプレートの第１の平面部に面接され、前記第１の平面部の凹溝に対応する突起が所定の角度ごとに放射状に形成される第２の平面部がそれぞれ配設されるリング部材と、
前記リング部材の貫通孔と前記バネを貫通して前記リング部材の螺子孔に係合される係合螺子と、
を備える携帯端末用のフィンガーリング。
【請求項１４】
前記リング部材に設けられる飾り部材をさらに備えることを特徴とする請求項１３に記載の携帯端末用のフィンガーリング。
【請求項１５】
前記リング部材は、ユーザーの力による強制回動時に、前記第１の平面部の凹溝と前記第２の平面部の突起との結合によってその回動状態が保たれることにより、前記携帯端末の据置台として用いられることを特徴とする請求項１３に記載の携帯端末用のフィンガーリング。
【請求項１６】
前面には前記リング部材が着脱自在に装着される装着溝が形成され、背面には両面テープによって特定の位置に取付け可能な取付面が形成される取付板をさらに備えることを特徴とする請求項１３から請求項１５のいずれか１項に記載の携帯端末用のフィンガーリング。
【請求項１７】
一方の側面は携帯端末の背面に取り付けられ、他方の側面には係合溝が両側に形成された回転突起が左右転自在に結合されるベースプレートと、
前記回転突起の係合溝に両端部が上下方向に回動自在に結合されるが、前記携帯端末が据え置かられるように回動時に所定の角度で固定され、一方側には貫通孔が形成されたリング部材と、
前記貫通孔を貫通して係合される係合螺子と、
を備えることを特徴とする携帯端末用のフィンガーリング。
【請求項１８】
前記リング部材の両端部に形成された嵌入部が前記貫通孔の壁体に対する摩擦力によって回動状態が固定されて前記リング部材が固定されることを特徴とする請求項１７に記載の携帯端末用のフィンガーリング。
【請求項１９】
前記リング部材の両端部に形成された回動片が回動時に前記貫通孔の内側に形成された係止片に支持されて前記リング部材が固定されることを特徴とする請求項１７に記載の携帯端末用のフィンガーリング。
【請求項２０】
前記リング部材に形成された支持爪が回動するときに前記ベース部の他方の側面に支持されて前記リング部材が固定されることを特徴とする請求項１７に記載の携帯端末用のフィンガーリング。
【請求項２１】
前記リング部材に形成された突起が回動するときに前記回転突起の上側に形成された突出爪に支持されて前記リング部材が固定されることを特徴とする請求項１７に記載の携帯端末用のフィンガーリング。
【請求項２２】
前記ベースプレートは、携帯端末の背面と側面を取り囲むように設けられることを特徴とする請求項１７に記載の携帯端末用のフィンガーリング。
【請求項２３】
前記ベースプレートは、一方の側面に形成された磁石面または両面テープによって携帯端末に取り付けられることを特徴とする請求項１７から請求項２２のいずれか１項に記載の携帯端末用のフィンガーリング。
【請求項２４】
前面には前記リング部材が着脱自在に装着される装着溝が形成され、背面には両面テープによって特定の位置に取付け可能な取付面が形成される取付板をさらに備えることを特徴とする請求項１７から請求項２２のいずれか１項に記載の携帯端末用のフィンガーリング。
【請求項２５】
両側に貫通孔が形成された回転突起が左右転自在に結合されるベースプレートと、前記回転突起の係合溝に両端部が上下方向に回動自在に結合されるが、前記携帯端末が据え置かれるように回動時に所定の角度で固定され、一方の側には貫通孔が形成されたリング部材と、前記貫通孔を貫通して係合される係合螺子とを備える携帯端末用のフィンガーリングと、
携帯端末を取り囲み、表面に前記回転突起が嵌入される収容溝が形成された本体と、
を備えることを特徴とする携帯端末ケース。
【請求項２６】
前記ベースプレートと本体との接合面は磁石面に形成して着脱自在に結合されることを特徴とする請求項２５に記載の携帯端末ケース。
【発明の詳細な説明】
【技術分野】
【０００１】
本発明は、携帯電話、ＰＤＡなどの携帯端末の背面に取り付けられて指を嵌める輪環を形成することにより、携帯端末がユーザーによって安全且つ容易に把持でき、リング部材に指を嵌めた状態で携帯端末を様々な角度で左右転させることができてユーザーの使い勝手が大幅に向上でき、携帯端末を用いて放送、映画などの映像コンテンツを視聴しようとする場合に卓上などの底面だけではなく、壁面に携帯端末を据え置き易くする携帯端末用のフィンガーリングおよびこれを備える携帯端末ケースに関する。
【背景技術】
【０００２】
一般に、携帯電話やＰＤＡなどの携帯端末の場合には、連結輪が上端の一方の側に別設されることにより、端部に輪環または飾り具が設けられた紐を連結して用いることにより、その携帯容易性を増大させている。
しかしながら、最近、携帯電話のうち、スマートフォンなどの機種の場合には、端部に輪環または飾り具が設けられた紐を連結可能な連結輪が別設されず、これにより、携帯が不便であるだけではなく、手から滑落する場合には衝撃によって破損されたり故障を引き起こす場合が頻発するという不都合があった。
また、最近には、携帯端末を用いて放送、映画などの映像コンテンツが視聴可能になることに伴い、卓上などの底面に対して携帯端末を斜めに据え置くように据置機能付き皮革製の保護ケースが汎用されているが、かような皮革製の保護ケースの場合には購買費用がかなり高いため、ユーザーに経済的な負担を与えてしまうという問題点があった。
【発明の概要】
【発明が解決しようとする課題】
【０００３】
本発明の目的は、携帯端末の背面に取り付けられて指を嵌める輪環を形成することにより、携帯端末がユーザーによって安全且つ容易に把持でき、リング部材に指を嵌めた状態で携帯端末を様々な角度で左右転させることができてユーザーの使い勝手が大幅に向上できる携帯端末用のフィンガーリングおよびこれを備える携帯端末ケースを提供するところにある。
本発明の他の目的は、携帯端末を用いて放送、映画などの映像コンテンツを視聴しようとする場合に卓上などの底面だけではなく、壁面に携帯端末を据え置き易くする携帯端末用のフィンガーリングおよびこれを備える携帯端末ケースを提供するところにある。
【課題を解決するための手段】
【０００４】
上述した本発明の目的は、一方の側面は携帯端末の背面に取り付けられ、他方の側面には係合溝が両側に形成された回転突起が左右転自在に結合されるベースプレートと、前記回転突起の係合溝に両端部が上下方向に回動自在に結合されるリング部材と、を備える携帯端末用のフィンガーリングを提供することによって達成される。
本発明の好適な特徴によれば、前記リング部材に設けられる飾り部材をさらに備える。
本発明の好適な特徴によれば、前記リング部材は、ユーザーの力による強制回動時に、自体弾性による押込み結合によってその回動状態が保たれることにより、前記携帯端末の据置台として用いられることが好ましい。
本発明の好適な特徴によれば、前面には前記リング部材が着脱自在に装着される装着溝が形成され、背面には両面テープによって特定の位置に取付け可能な取付面が形成される取付板をさらに備える。
また、上述した本発明の目的は、一方の側面は携帯端末の背面に取り付けられ、他方の側面には貫通孔が形成された回転突起が左右転自在に結合されるベースプレートと、前記回転突起の貫通孔に嵌入されるゴム管と、前記ゴム管の両側に両端部が結合されて前記回転突起に上下方向に回動自在に結合され、一方の端部には前記ゴム管と連通される貫通孔が形成され、他方の端部には前記ゴム管と連通される螺子孔が形成されるリング部材と、前記リング部材の貫通孔と前記ゴム管を貫通して前記リング部材の螺子孔に係合されつつ前記リング部材を前記ゴム管に結合させる係合螺子と、を備える携帯端末用のフィンガーリングを提供することによって達成される。
本発明の好適な特徴によれば、前記リング部材に設けられる飾り部材をさらに備える。
本発明の好適な特徴によれば、前記リング部材は、ユーザーの力による強制回動時に、前記貫通孔の壁体に対する前記ゴム管の摩擦力によってその回動状態が保たれることにより、前記携帯端末の据置台として用いられることが好ましい。
本発明の好適な特徴によれば、前面には前記リング部材が着脱自在に装着される装着溝が形成され、背面には両面テープによって特定の位置に取付け可能な取付面が形成される取付板をさらに備える。
さらに、上述した本発明の目的は、一方の側面は携帯端末の背面に取り付けられ、他方の側面には貫通孔が形成された回転突起が左右転自在に結合されるベースプレートと、前記回転突起に設けられ、前記貫通孔内に突き出る弾性突起と、前記回転突起の貫通孔に両端部が上下方向に回動自在に結合され、一方の端部には前記回転突起の貫通孔と連通される貫通孔が形成され、他方の端部には前記回転突起の貫通孔と連通される螺子孔が形成されるリング部材と、前記リング部材の貫通孔と前記回転突起の貫通孔を貫通して前記リング部材の螺子孔に係合され、途中の外周面には前記弾性突起に接する鋸歯部が形成される係合螺子と、を備える携帯端末用のフィンガーリングを提供することによって達成される。
本発明の好適な特徴によれば、前記リング部材に設けられる飾り部材をさらに備える。
本発明の好適な特徴によれば、前記リング部材は、ユーザーの力による強制回動時に、前記弾性突起と前記係合螺子の鋸歯部との結合によってその回動状態が保たれることにより、前記携帯端末の据置台として用いられることが好ましい。
本発明の好適な特徴によれば、前面には前記リング部材が着脱自在に装着される装着溝が形成され、背面には両面テープによって特定の位置に取付け可能な取付面が形成される取付板をさらに備える。
さらに、上述した本発明の目的は、一方の側面は携帯端末の背面に取り付けられ、他方の側面には貫通孔が形成された回転突起が左右転自在に結合され、前記回転突起の両側には前記貫通孔の周りに凹溝が所定の角度ごとに放射状に形成される第１の平面部がそれぞれ配設されるベースプレートと、前記ベースプレートの貫通孔内に嵌入されるバネと、前記バネに両端部が結合されて前記回転突起に上下方向に回動自在に結合され、一方の端部には前記回転突起の貫通孔と連通される貫通孔が形成され、他方の端部には前記回転突起の貫通孔と連通される螺子孔が形成され、両端部側には前記ベースプレートの第１の平面部に面接され、前記第１の平面部の凹溝に対応する突起が所定の角度ごとに放射状に形成される第２の平面部がそれぞれ配設されるリング部材と、前記リング部材の貫通孔と前記バネを貫通して前記リング部材の螺子孔に係合される係合螺子と、を備える携帯端末用のフィンガーリングを提供することによって達成される。
本発明の好適な特徴によれば、前記リング部材に設けられる飾り部材をさらに備える。
本発明の好適な特徴によれば、前記リング部材は、ユーザーの力による強制回動時に、前記第１の平面部の凹溝と前記第２の平面部の突起との結合によってその回動状態が保たれることにより、前記携帯端末の据置台として用いられることが好ましい。
本発明の好適な特徴によれば、前面には前記リング部材が着脱自在に装着される装着溝が形成され、背面には両面テープによって特定の位置に取付け可能な取付面が形成される取付板をさらに備える。
さらに、上述した本発明の目的は、一方の側面は携帯端末の背面に取り付けられ、他方の側面には係合溝が両側に形成された回転突起が左右転自在に結合されるベースプレートと、前記回転突起の係合溝に両端部が上下方向に回動自在に結合されるが、前記携帯端末が据え置かられるように回動時に所定の角度で固定され、一方側には貫通孔が形成されたリング部材と、前記貫通孔を貫通して係合される係合螺子と、を備えることを特徴とする携帯端末用のフィンガーリングを提供することによって達成される。
本発明の好適な特徴によれば、前記リング部材の両端部に形成された嵌入部が前記貫通孔の壁体に対する摩擦力によって回動状態が固定されて前記リング部材が固定されることが好ましい。
本発明の好適な特徴によれば、前記リング部材の両端部に形成された回動片が回動時に前記貫通孔の内側に形成された係止片に支持されて前記リング部材が固定されることが好ましい。
本発明の好適な特徴によれば、前記リング部材に形成された支持爪が回動するときに前記ベース部の他方の側面に支持されて前記リング部材が固定されることが好ましい。
本発明の好適な特徴によれば、前記リング部材に形成された突起が回動するときに前記回転突起の上側に形成された突出爪に支持されて前記リング部材が固定されることが好ましい。
本発明の好適な特徴によれば、前記ベースプレートは、携帯端末の背面と側面を取り囲むように設けられることが好ましい。
本発明の好適な特徴によれば、前記ベースプレートは、一方の側面に形成された磁石面または両面テープによって携帯端末に取り付けられることが好ましい。
本発明の好適な特徴によれば、前面には前記リング部材が着脱自在に装着される装着溝が形成され、背面には両面テープによって特定の位置に取付け可能な取付面が形成される取付板をさらに備えることが好ましい。
さらに、上述した本発明の目的は、両側に貫通孔が形成された回転突起が左右転自在に結合されるベースプレートと、前記回転突起の係合溝に両端部が上下方向に回動自在に結合されるが、前記携帯端末が据え置かれるように回動時に所定の角度で固定され、一方の側には貫通孔が形成されたリング部材と、前記貫通孔を貫通して係合される係合螺子とを備える携帯端末用のフィンガーリングと、携帯端末を取り囲み、表面に前記回転突起が嵌入される収容溝が形成された本体と、を備えることを特徴とする携帯端末ケースを提供することによって達成される。
本発明の好適な特徴によれば、前記ベースプレートと本体との接合面は磁石面に形成して着脱自在に結合されることが好ましい。
【発明の効果】
【０００５】
本発明に係る携帯端末用のフィンガーリングによれば、携帯端末の背面に取り付けられてユーザーが指を嵌める輪環を形成することにより、携帯端末がユーザーによって安全且つ容易に把持でき、回転突起によってリング部材が回転されることに伴い、リング部材に指を嵌めた状態で携帯端末を様々な角度で左右転させることができてユーザーの使い勝手が向上するという卓越した効果がある。
また、本発明に係る携帯端末用のフィンガーリングによれば、リング部材がユーザーの力によって強制的に回動される場合に、リング部材の自体弾性による押込み結合、貫通孔の壁体に対するゴム管の摩擦力、弾性突起と係合螺子の鋸歯部との結合、または第１の平面部の凹溝と第２の平面部の突起との結合によってその回動状態が保たれることにより、携帯端末を用いて放送、映画などの映像コンテンツを視聴しようとする場合に、携帯端末の据置台として用いることができて、卓上などの底面に対して携帯端末を容易に据え置くことができるという卓越した効果がある。
さらに、本発明に係る携帯端末用のフィンガーリングによれば、リング部材に飾り部材が設けられることにより、ユーザーがリング部材内に指を嵌めると、まるで指輪のような見栄えを提供することにより、ユーザーの美的嗜好まで充足することができるという卓越した効果がある。
さらに、本発明に係る携帯端末用のフィンガーリングによれば、壁面に取り付けられる取付板の装着溝にリング部材を結合する場合に、壁面などの如何なる場所にも携帯端末を据え置くことが可能となり、携帯端末を用いて放送、映画などの映像コンテンツを視聴しようとする場合に、場所を問わずに携帯端末を据え置くことができるという卓越した効果がある。
【図面の簡単な説明】
【０００６】
【図１】本発明の第１の実施形態に係る携帯端末用のフィンガーリングの使用状態図。
【図２】本発明の第１の実施形態に係る携帯端末用のフィンガーリングの分解斜視図。
【図３】携帯端末の卓上据置のための本発明の第１の実施形態に係る携帯端末用のフィンガーリングの使用状態断面図。
【図４】本発明の第１の実施形態に係る携帯端末用のフィンガーリングにおいて、取付板の斜視図。
【図５】携帯端末の壁掛けのための本発明の第１の実施形態に係る携帯端末用のフィンガーリングの使用状態断面図。
【図６】本発明の第２の実施形態に係る携帯端末用のフィンガーリングの分解斜視図。
【図７】携帯端末の卓上への据え置きのための本発明の第２の実施形態に係る携帯端末用のフィンガーリングの使用状態断面図。
【図８】本発明の第３の実施形態に係る携帯端末用のフィンガーリングの分解斜視図。
【図９】携帯端末の卓上への据え置きのための本発明の第３の実施形態に係る携帯端末用のフィンガーリングの使用状態断面図。
【図１０】本発明の第４の実施形態に係る携帯端末用のフィンガーリングの分解斜視図。
【図１１】携帯端末の卓上への据え置きのための本発明の第４の実施形態に係る携帯端末用のフィンガーリングの使用状態断面図。
【図１２】本発明の第５の実施形態に係る携帯端末用のフィンガーリングの分解斜視図。
【図１３】携帯端末の卓上への据え置きのための本発明の第５の実施形態に係る携帯端末用のフィンガーリングの使用状態断面図。
【図１４】本発明の第６の実施形態に係る携帯端末用のフィンガーリングの分解斜視図。
【図１５】携帯端末の卓上への据え置きのための本発明の第６の実施形態に係る携帯端末用のフィンガーリングの使用状態断面図。
【図１６】本発明の第７の実施形態に係る携帯端末用のフィンガーリングの分解斜視図。
【図１７】携帯端末の卓上への据え置きのための本発明の第７の実施形態に係る携帯端末用のフィンガーリングの使用状態断面図。
【図１８】本発明の第８の実施形態に係る携帯端末用のフィンガーリングの分解斜視図。
【図１９】携帯端末の卓上への据え置きのための本発明の第８の実施形態に係る携帯端末用のフィンガーリングの使用状態断面図。
【図２０】本発明の実施形態に係る携帯端末ケースにおいて、携帯端末用のフィンガーリングの分解斜視図。
【図２１】本発明の実施形態に係る携帯端末ケースの結合断面図。
【発明を実施するための形態】
【０００７】
以下、添付図面に基づき、本発明の好適な実施形態を詳述するが、これは、本発明が属する技術分野において通常の知識を持った者が本発明を容易に実施できる程度に詳細に説明するためのものに過ぎず、これによって本発明の技術的思想および範ちゅうが限定されることはない。
本発明の第１の実施形態に係る携帯端末用のフィンガーリング１００は、携帯端末３の背面に取り付けられて指を嵌める輪環を形成することにより、携帯端末３が安全且つ容易に把持でき、リング部材１２０に指を嵌めた状態で携帯端末３を様々な角度で左右転させることができてユーザーの使い勝手が大幅に向上でき、携帯端末３を用いて放送、映画などの映像コンテンツを視聴しようとする場合に卓上などの底面だけではなく、壁面に携帯端末３を据え置き易くするものであり、図１から図５に示すように、一方の側面は携帯端末３の背面に取り付けられ、他方の側面には係合溝１１３が両側に形成された回転突起１１１が左右転自在に結合されるベースプレート１１０と、回転突起１１１の係合溝１１３に両端部が上下方向に回動自在に結合されるリング部材１２０と、を備える。
ここで、ベースプレート１１０は、携帯端末３の背面に取り付けられるための取付面を形成するものであり、その一方の側面は、例えば、両面テープなどの取付手段によって携帯端末３の背面に取り付けられる。取付手段は、接着力を維持するための離型紙を含むことが好ましい。
ベースプレート１１０の他方の側面には、回転突起１１１が左右転自在に結合されるが、この回転突起１１１は、リング部材１２０に指を嵌めた状態で携帯端末３を様々な角度で左右転させるためのものであり、回転突起１１１の両側には、後述するリング部材１２０が結合される係合溝１１３が形成される。
ベースプレート１１０と回転突起１１１はそれぞれ合成樹脂製であることが好ましく、実施形態によっては、木材、シリコン、ゴム材、セラミック材、金属材など様々な材質から製造可能である。
ベースプレート１１０の貫通溝１１３にはリング部材１２０の両端部が上下方向に回動自在に結合されるが、このリング部材１２０は、携帯端末３の背面にユーザーが指を嵌める輪環を形成することにより、携帯端末３を安全且つ容易に把持可能にするものであり、合成樹脂製であることが好ましいが、実施形態によっては、金属材、木材、セラミック材など様々な材質からも製造可能である。
リング部材１２０は、卓上などの底面に対して携帯端末３を容易に据え置いて映像コンテンツの視聴を容易にする一種の据置台として働くことが好ましいが、このような機能を実現するために、リング部材１２０は、ユーザーの力によって強制的に回動される場合に、その回動状態が保たれるように比較的に強い自体弾性によって回転突起１１１の係合溝１１３に押込み結合されることが好ましい。
【０００８】
上述したリング部材１２０には飾り部材１３０が設けられるが、この飾り部材１３０は、リング部材１２０に通常の指輪のような見栄えを提供することにより、ユーザーの美的嗜好を充足するものであり、リング部材１２０のうち、ベースプレート１１０の回転突起１１１の反対側に設けられる宝石、人造宝石またはその他の飾り具から形成される。
第１の実施形態に係る携帯端末用のフィンガーリング１００は、リング部材１２０が着脱自在に結合される取付板１４０をさらに備えることが好ましいが、この取付板１４０は、携帯端末３が壁面などの場所に据え置くためのものであり、取付板１４０の前面には上方に完全に回動されたリング部材１２０が着脱自在に装着される装着溝１４１が形成され、背面には両面テープによって壁などの特定の位置に取り付け可能な取付面１４３が形成される。
また、取付板１４０の内部には磁石１４５が収容されることが好ましいが、この磁石１４５は、携帯端末３の金属部分に取り付けられて携帯端末３が取付板１４０に押し付けられて壁面などの場所に強固に据え置く役割を果たす。
このため、第１の実施形態に係る携帯端末用のフィンガーリング１００を携帯端末３の背面に取り付ける場合には、図１に示すように、リング部材１２０によって指を嵌める輪環が形成されることにより、ユーザーが携帯端末３を安全且つ容易に把持できて、携帯端末３の携帯が極めて便利になる。
さらに、第１の実施形態に係る携帯端末用のフィンガーリング１００の場合には、回転突起１１１によってリング部材１２０がベースプレート１１０に対して左右転可能になることにより、ユーザーはリング部材１２０に指を嵌めた状態で携帯端末３を様々な角度で左右転させることができる。
さらに、第１の実施形態に係る携帯端末用のフィンガーリング１００を携帯端末３の背面に取り付けて使用すれば、リング部材１２０がユーザーの力によって強制的に回動される場合に、リング部材１２０の自体弾性による押込み結合によってその回動状態が保たれることにより、ユーザーが携帯端末３を用いて放送、映画などの映像コンテンツを視聴しようとする場合に、図３に示すように、リング部材１２０を所定の角度だけ拡開して固定した後、卓上などの底面に置くだけで、リング部材１２０が携帯端末３に対する一種の背面据置台として働くことにより、携帯端末３を卓上などの底面に対して容易に据え置くことが可能になる。
さらに、リング部材１２０に飾り部材１３０が設けられる場合に、ユーザーがリング部材１２０内に指を嵌めると、リング部材１２０がまるで指輪のような見栄えを提供することにより、ユーザーの美的嗜好まで充足することが可能になる。
のみならず、取付板１４０の取付面１４３を壁面に取り付けた状態で、取付板１４０の装着溝１４１にリング部材１２０をベースプレート１１０に対して上方に回動させて装着する場合には、図５に示すように、壁面などの如何なる場所にも携帯端末３を据え置くことが可能になる結果、携帯端末３を用いて放送、映画などの映像コンテンツを視聴しようとする場合に、場所を問わずに携帯端末３を据え置くことができる。この場合に、取付板１４０内の磁力によって携帯端末３が取付板１４０に押し付けられて壁面にさらに強固に据え置かれる。
本発明の第２の実施形態に係る携帯端末用のフィンガーリング２００は、図６または図７に示すように、一方の側面は携帯端末３の背面に取り付けられ、他方の側面には貫通孔２１３が形成された回転突起２１１が左右転自在に結合されるベースプレート２１０と、ベースプレート２１０の貫通孔２１３に嵌入されるゴム管２２０と、ゴム管２２０の両側に両端部が結合されてベースプレート２１０の回転突起２１１に上下方向に回動自在に結合され、一方の端部にはゴム管２２０と連通される貫通孔２３１が形成され、他方の端部にはゴム管と連通される螺子孔２３３が形成されるリング部材２３０と、リング部材２３０の貫通孔２３１とゴム管２２０を貫通してリング部材２３０の螺子孔２３３に係合されつつリング部材２３０をゴム管２２０に結合させる係合螺子２４０と、を備える。
第２の実施形態によれば、ベースプレート２１０の貫通孔２１３にはゴム管２２０が嵌入されるが、このゴム管２２０は、後述する係合螺子２４０によってリング部材２３０に圧着結合されて一緒に回動されつつ貫通孔２１３の内壁に対して摩擦力を発揮するものであり、ゴムなどの弾性材質によって係合螺子２４０が貫通できるように管状に製造される。ここで、ゴム管２２０と明記してはいるものの、シリコン、ウレタンなどのゴムと類似する材質から製造可能であることはいうまでもない。
上述したゴム管２２０の両側にはリング部材２３０の両端部が結合されるが、このリング部材２３０は、携帯端末の背面にユーザーが指を嵌める輪環を形成することにより、携帯端末３を安全且つ容易に把持するためのものであり、ベースプレート２１０の回転突起２１１に上下方向に回動自在に結合され、後述する係合螺子２４０が貫通されて係合できるように一方の端部にはゴム管２２０と連通される貫通孔２３１が形成され、他方の端部にはゴム管２２０と連通される螺子孔２３３が形成される。ゴム管２２０は、係合螺子２４０の係合によってリング部材２３０の両端部によって圧着されて貫通孔２１３の壁体に押し付けられることにより、ユーザーの力によるリング部材２３０の強制回動時に貫通孔２１３の壁体に対するゴム管２２０の摩擦力によってその回動状態が保たれるように構成されることが好ましい。
上述のリング部材２３０の貫通孔２３１とゴム管２２０を貫通してリング部材２３０の螺子孔２３３には係合螺子２４０が係合されるが、この係合螺子２４０は、リング部材２３０をゴム管２２０に結合させる役割を果たすと共に、リング部材２３０の両端部の間を締め付けてゴム管２２０を圧着するものであり、外周面に螺子山が形成された通常のボルト形状を有する。
このため、第２の実施形態に係る携帯端末用のフィンガーリング２００を携帯端末３の背面に取り付けて使用すれば、リング部材２３０がユーザーの力によって強制的に回動される場合に貫通孔２１３の壁体に対するゴム管の摩擦力によってその回動状態が保たれることにより、ユーザーが携帯端末３を用いて放送、映画などの映像コンテンツを視聴しようとする場合に、図７に示すように、リング部材２３０を所定の角度で拡開して固定した後、卓上などの底面に置くだけで、リング部材２３０が携帯端末３に対する一種の背面据置台として働くことにより、携帯端末３を卓上などの底面に対して容易に据え置くことが可能になる。
また、第２の実施形態に係る携帯端末用のフィンガーリング２００は、上述の第１の実施形態と同様に、取付板などを用いて壁面にも携帯端末３が据え置かれ、この場合、取付板内の磁力によって携帯端末３が取付板に押し付けられて壁面に一層強固に据え置かれる。
本発明の第３の実施形態に係る携帯端末用のフィンガーリング３００は、図８から図９に示すように、一方の側面は携帯端末３の背面に取り付けられ、他方の側面には貫通孔３１３が形成された回転突起３１１が左右転自在に結合されるベースプレート３１０と、ベースプレート３１０の回転突起３１１に設けられ、貫通孔３１３内に突き出る弾性突起３２０と、ベースプレート３１０の貫通孔３１３に両端部が上下方向に回動自在に結合され、一方の端部には貫通孔３１３と連通される貫通孔３３１が形成され、他方の端部には貫通孔３１３と連通される螺子孔３３３が形成されるリング部材３３０と、リング部材３３０の貫通孔３３１とベースプレート３１０の貫通孔３１３を貫通してリング部材３３０の螺子孔３３３に係合され、途中の外周面には弾性突起３２０に接する鋸歯部３４１が形成される係合螺子３４０と、を備える。
第３の実施形態によれば、ベースプレート３１０の他方の側面には回転突起３１１が左右転自在に結合されるが、この回転突起３１１はリング部材３３０に指を嵌めた状態で携帯端末３を様々な角度で左右転させるためのものであり、回転突起２１１には、後述するリング部材２３０が結合可能な貫通孔３１３が形成される。
上述したベースプレート３１０の回転突起３１１には弾性突起３２０が設けられるが、この弾性突起３２０は、貫通孔３１３内に突き出てリング部材３３０の回動時に一体に回動される係合螺子３４０の鋸歯部３４１に選択的に接触されることにより、リング部材３３０の回動状態がユーザーの強制回動時を除いては、そのまま保たれることにより、リング部材３３０が携帯端末３の据置台として使われるものであり、バネ３２１と球状突起３３３との組み合わせによって形成される。
弾性突起３２０の設置のために、図９に示すように、ベースプレート３１０と回転突起３１１には取付孔３３５が貫通孔３１３に直交するように形成され、この取付孔３３５に球状突起３３３とバネ３２１がこの順に嵌入された後に、バネ支持螺子３３７が取付孔３３５に係合される。
上述したベースプレート３１０の貫通孔３１３にはリング部材３３０の両端部が上下方向に回動自在に結合されるが、このリング部材３３０は、携帯端末３の背面にユーザーが指を嵌める輪環を形成することにより、携帯端末３を安全且つ容易に把持するためのものであり、後述する係合螺子３４０が貫通されて係合できるように一方の端部には貫通孔３１３と連通される貫通孔３３１が形成され、他方の端部には貫通孔３１３と連通される螺子孔３３３が形成される。
リング部材３３０は、ユーザーの力による強制回動時に、弾性突起３２０と後述する係合螺子３４０の鋸歯部３４１との結合によってその回動状態が保たれることにより、携帯端末３の据置台として用いられることが好ましい。
上述のリング部材３３０の貫通孔３３１とベースプレート３１０の貫通孔３１３を貫通してリング部材３３０の螺子孔３３３には係合螺子３４０が係合されるが、この係合螺子３４０は、リング部材３３０をベースプレート３１０の回転突起３１１に回動自在に結合させる役割を果たすと共に、リング部材３３０の両端部を互いに連結するものであり、途中の外周面には弾性突起３２０に接する鋸歯部３４１が形成され、一方の端にはリング部材３３０の螺子孔３３３に係合される螺子山が形成される。
第３の実施形態によれば、回転突起３１１によってリング部材３３０がベースプレート３１０に対して左右転自在になることにより、ユーザーはリング部材３３０に指を嵌めた状態で携帯端末３を様々な角度で左右転させることができる。
このため、第３の実施形態に係る携帯端末用のフィンガーリング３００を携帯端末３の背面に取り付けて使用すれば、リング部材３３０がユーザーの力によって強制的に回動される場合に、弾性突起３２０と係合螺子３４０の鋸歯部３４１との結合によってその回動状態が保たれることにより、ユーザーが携帯端末３を用いて放送、映画などの映像コンテンツを視聴しようとする場合に、図９に示すように、リング部材３３０を所定の角度だけ拡開して固定した後、卓上などの底面に置くだけで、リング部材３３０が携帯端末３に対する一種の背面据置台として働くことにより、携帯端末３を卓上などの底面に対して容易に据え置くことが可能になる。
さらに、第３の実施形態に係る携帯端末用のフィンガーリング３００は、上述の実施形態と同様に、取付板などを用いて壁面にも携帯端末３が据え置かれ、この場合、取付板内の磁力によって携帯端末３が取付板に押し付けられて壁面に一層強固に据え置かれる。
本発明の第４の実施形態に係る携帯端末用のフィンガーリング４００は、図１０から図１１に示すように、一方の側面は携帯端末３の背面に取り付けられ、他方の側面には貫通孔４１３が形成された回転突起４１１が左右転自在に結合され、回転突起４１１の両側には貫通孔４１３の周りに凹溝４１７が所定の角度ごとに放射状に形成される第１の平面部４１５がそれぞれ配設されるベースプレート４１０と、ベースプレート４１０の貫通孔４１３内に嵌入されるバネ４２０と、バネ４２０に両端部が結合されてベースプレート４１０の回転突起４１１に上下方向に回動自在に結合され、一方の端部にはベースプレート４１０の貫通孔４１３と連通される貫通孔４３１が形成され、他方の端部にはベースプレート４１０の貫通孔４１３と連通される螺子孔４３３が形成され、両端部側にはベースプレート４１０の第１の平面部４１５に面接され、第１の平面部４１５の凹溝４１７に対応する突起４３７が所定の角度ごとに放射状に形成される第２の平面部４３５がそれぞれ配設されるリング部材４３０と、リング部材４３０の貫通孔４３１とバネ４２０を貫通してリング部材４３０の螺子孔４３３に係合される係合螺子４４０と、を備える。
第４の実施形態によれば、ベースプレート４１０の他方の側面には回転突起４１１が左右転自在に結合されるが、この回転突起４１１はリング部材４３０に指を嵌めた状態で携帯端末３を様々な角度で左右転させるためのものであり、回転突起４１１には後述するリング部材４３０が結合可能な貫通孔４１３が形成される。
また、回転突起４１１の両側には第１の平面部４１５がそれぞれ配設されるが、この第１の平面部４１５は、後述するリング部材４３０の第２の平面部４３５に面接されてベースプレート４１０に対するリング部材４３０の回動状態を保つためのものであり、第１の平面部４１５には貫通孔４１３の周りに第２の平面部４３５の突起４３７に対応する凹溝４１７が所定の間隔をあけて放射状に形成される。
上述のベースプレート４１０の貫通孔４１３内にはバネ４２０が嵌入されるが、このバネ４２０は、後述するリング部材４３０の両端部の間に介装されて自体弾性によってベースプレート４１０に対するリング部材４３０の回動を可能にしつつも、リング部材４３０の第２の平面部４３５が常に回転突起４１１の第１の平面部４１５に面接されるように付勢する役割を果たすものであり、通常のコイルバネから形成される。
上述のバネ４２０にはリング部材４３０の両端部が結合されてベースプレート４１０の回転突起４１１に上下方向に回動自在に結合されるが、このリング部材４３０は携帯端末３の背面にユーザーが指を嵌める輪環を形成することにより、携帯端末３を安全且つ容易に把持するためのものであり、後述する係合螺子４４０が貫通されて係合できるように一方の端部には貫通孔４１３と連通される貫通孔４３１が形成され、他方の端部には貫通孔４１３と連通される螺子孔４３３が形成される。
さらに、リング部材４３０の両端部側には第２の平面部４３５がそれぞれ配設されるが、この第２の平面部４３５はベースプレート４１０の第１の平面部４１５に面接されてベースプレート４１０に対するリング部材４３０の回動状態を保つためのものであり、第２の平面部４３５には第１の平面部４１５の凹溝４１７に対応する突起４３７が所定の間隔をあけて放射状に形成される。
リング部材４３０は、図１１に示すように、卓上などの底面に対して携帯端末３を容易に据え置いて映像コンテンツの視聴を容易にする一種の据置台として働くことが好ましいが、このような機能を実現するために、リング部材４３０は、ユーザーの力による強制回動時に、バネ４２０の付勢力による第１の平面部４１５の凹溝４１７と第２の平面部４３５の突起４３７との結合によってその回動状態が保たれることにより、携帯端末３の据置台として用いられることが好ましい。
上述のリング部材４３０の貫通孔４３１とバネ４２０を貫通してリング部材４３０の螺子孔４３３には係合螺子４４０が係合されるが、この係合螺子４４０は、リング部材４３０をベースプレート４１０の回転突起４１１に回動自在に結合させる役割を果たすと共に、リング部材４３０の両端部を互いに連結するものであり、一方の端にはリング部材４３０の螺子孔４３３に係合される螺子山が形成される。
このため、第４の実施形態に係る携帯端末用のフィンガーリング４００を携帯端末３の背面に取り付けて使用すれば、リング部材４３０がユーザーの力によって強制的に回動される場合に、バネ４２０の付勢力による第１の平面部４１５の凹溝４１７と第２の平面部４３５の突起４３７との結合によってその回動状態が保たれることにより、ユーザーが携帯端末３を用いて放送、映画などの映像コンテンツを視聴しようとする場合に、図１８に示すように、リング部材４３０を所定の角度だけ拡開して固定した後、卓上などの底面に置くだけで、リング部材４３０が携帯端末３に対する一種の背面据置台として働くことにより、携帯端末３を卓上などの底面に対して容易に据え置くことが可能になる。
さらに、第４の実施形態に係る携帯端末用のフィンガーリング４００は、上述の実施形態と同様に、取付板などを用いて壁面にも携帯端末３が据え置かれ、この場合、取付板内の磁力によって携帯端末３が取付板に押し付けられて壁面に一層強固に据え置かれる。
本発明の第５の実施形態に係る携帯端末用のフィンガーリング５００は、図１２から図１３に示すように、一方の側面は携帯端末３の背面に装着され、他方の側面には係合溝５１３が両側に形成された回転突起５１２が左右転自在に結合されるベースプレート５１０と、回転突起５１２の係合溝５１３に両端部が上下方向に回動自在に結合されるが、携帯端末３が据え置かれるように回動時に所定の角度で固定され、一方の側には貫通孔５３１が形成されたリング部材５３０と、貫通孔５３１を貫通して係合される係合螺子５４０と、を備える。
第５の実施形態に係るベースプレート５１０の係合溝５１３には、後述するリング部材５３０の嵌入部５３２が嵌入されるが、この嵌入部５３２は、後述する係合螺子５４０によって係合溝５１３の内壁に対して摩擦力を発揮して、回動時にリング部材５４０が固定されて卓上などに据え置き可能になる。
第５の実施形態に係るリング部材５４０の両端部には嵌入部５３２が形成される。前記嵌入部５３２は、回動時にベースプレート５１０の係合溝５１３の内壁に対して摩擦力が働いて回動状態が固定される。リング部材５３０には係合螺子５４０が係合されるが、この係合螺子５４０は、リング部材５３０をベースプレート５１０に結合させるものであり、外周面に螺子山が形成された通常のボルト形状を有する。
このため、第５の実施形態に係る携帯端末用のフィンガーリング５００を携帯端末３の背面に取り付けて使用すれば、リング部材５４０がユーザーの力によって強制的に回動される場合にリング部材５４０の両端部に形成された嵌入部５３２がベースプレート５１０の係合溝５１３の内壁に摩擦力を作用してリング部材５３０が固定されることにより、ユーザーが携帯端末３を用いて放送、映画などの映像コンテンツを視聴しようとする場合に、図１３に示すように、リング部材５３０を所定の角度だけ拡開して固定した後に卓上などの底面に置くだけで、リング部材５３０が携帯端末３に対する一種の背面据置台として働くことにより、携帯端末３を卓上などの底面に対して容易に据え置くことが可能になる。
さらに、本発明の第５の実施形態に係る携帯端末用のフィンガーリング５００は、上述の実施形態と同様に、取付板などを用いて壁面にも携帯端末３が据え置かれ、この場合、取付板内の磁力によって携帯端末３が取付板に押し付けられて壁面に一層強固に据え置かれる。
本発明の第６の実施形態に係る携帯端末用のフィンガーリング６００は、図１４から図１５に示すように、一方の側面は携帯端末３の背面に装着され、他方の側面には係合溝６１３が両側に形成された回転突起６１２が左右転自在に結合されるベースプレート６１０と、係合溝６１３に両端部が結合されてベースプレート６１０の回転突起６１２に上下方向に回動自在に結合され、携帯端末３が据え置かれるように回動時に所定の角度で固定され、一方の側には貫通孔６３１が形成されるリング部材６３０と、貫通孔６３１を貫通して係合される係合螺子６４０と、を備える。
第６の実施形態によれば、ベースプレート６１０の係合溝６１３の内側には係止片６１４が形成されるが、この係止片６１４は、回動時に後述するリング部材６３０の両端部に形成された回動片６３２を支持してリング部材６３０が固定されて卓上などへの据え置きが可能になる。
第６の実施形態に係るリング部材６３０の両端部には回動片６３２が形成される。前記回動片６３２は、回動時にベースプレート６１０の係合溝６１３の内側には係止片６１４に支持されて回動状態が固定される。リング部材６３０には係合螺子６４０が係合されるが、この係合螺子６４０はリング部材６３０をベースプレート６１０に結合させるものであり、外周面に螺子山が形成された通常のボルト形状を有する。
このため、第６の実施形態に係る携帯端末用のフィンガーリング６００を携帯端末３の背面に取り付けて使用すれば、リング部材６３０がユーザーの力によって強制的に回動される場合に、リング部材６３０の両端部に形成された回動片６３２がベースプレート６１０の係合溝６１３の内側に形成された係止片６１４に支持されてリング部材６３０が固定されることにより、ユーザーが携帯端末３を用いて放送、映画などの映像コンテンツを視聴しようとする場合に、図１５に示すように、リング部材６３０を所定の角度だけ拡開して固定した後、卓上などの底面に置くだけで、リング部材６３０が携帯端末３に対する一種の背面据置台として働くことにより、携帯端末３を卓上などの底面に対して容易に据え置くことが可能になる。
さらに、第６の実施形態に係る携帯端末用のフィンガーリング６００は、上述の実施形態と同様に、取付板などを用いて壁面にも携帯端末３を据え置くことができ、この場合、取付板内の磁力によって携帯端末３が取付板に押し付けられて壁面に一層強固に据え置かれる。
本発明の第７の実施形態に係る携帯端末用のフィンガーリング７００は、図１６から図１７に示すように、一方の側面は携帯端末３の背面に装着され、他方の側面には係合溝７１３が両側に形成された回転突起７１２が左右転自在に結合されるベースプレート７１０と、係合溝７１３に両端部が結合されてベースプレート７１０の回転突起７１２に上下方向に回動自在に結合され、携帯端末３が据え置かれるように回動時に所定の角度で固定され、一方の側には貫通孔７３１が形成されるリング部材７３０と、貫通孔７３１を貫通して係合される係合螺子７４０と、を備える。
第７の実施形態に係るリング部材７３０の一方の側には支持爪７３２が形成される。前記支持爪７３２は、回動時にベースプレート７１０の他方の側面に支持されて回動状態が固定される。リング部材７３０には係合螺子７４０が係合されるが、この係合螺子７４０は、リング部材７３０をベースプレート７１０に結合させるものであり、外周面に螺子山が形成された通常のボルト形状を有する。
このため、第７の実施形態に係る携帯端末用のフィンガーリング７００を携帯端末３の背面に取り付けて使用すれば、リング部材７３０がユーザーの力によって強制的に回動される場合に、リング部材７３０の一方の側に形成された支持爪７３２がベースプレート７１０の背面に支持されてリング部材７３０が固定されることにより、ユーザーが携帯端末３を用いて放送、映画などの映像コンテンツを視聴しようとする場合に、図１７に示すように、リング部材７３０を所定の角度だけ拡開して固定した後、卓上などの底面に置くだけで、リング部材７３０が携帯端末３に対する一種の背面据置台として働くことにより、携帯端末３を卓上などの底面に対して容易に据え置くことが可能になる。
本発明の第８の実施形態に係る携帯端末用のフィンガーリング８００は、図１８から図１９に示すように、一方の側面は携帯端末３の背面に装着され、他方の側面には係合溝８１３が両側に形成された回転突起８１２が左右転自在に結合されるベースプレート８１０と、係合溝８１３に両端部が結合されてベースプレート８１０の回転突起８１２に上下方向に回動自在に結合され、携帯端末３が据え置かれるように回動時に所定の角度で固定され、一方の側には貫通孔８３１が形成されるリング部材８３０と、貫通孔８３１を貫通して係合される係合螺子８４０と、を備える。
第８の実施形態に係るベースプレート８１０の回転突起８１２の上側には突出爪８２０が形成されるが、この突出爪８２０は、回動時に後述するリング部材８３０の一方の側に形成された突起８３２を支持することによりリング部材８３０が固定されて卓上などに据え置かれることが可能になる。
第８の実施形態に係るリング部材８３０の一方の側には突起８３２が形成される。前記突起８３２は回動時にベースプレート８１０の回転突起８１２の上突出爪８２０に支持されて回動状態が固定される。リング部材８３０には係合螺子８４０が係合されるが、この係合螺子８４０はリング部材８３０をベースプレート８１０に結合させるものであり、外周面に螺子山が形成された通常のボルト形状を有する。
このため、第８の実施形態に係る携帯端末用のフィンガーリング８００を携帯端末３の背面に取り付けて使用すれば、リング部材８３０がユーザーの力によって強制的に回動される場合に、リング部材８３０の両端部に形成された突起８３２がベースプレート８１０の回転突起８１２の上突出爪８２０に支持されて回動状態が固定されることにより、ユーザーが携帯端末３を用いて放送、映画などの映像コンテンツを視聴しようとする場合に、図１９に示すように、リング部材８３０を所定の角度だけ拡開して固定した後、卓上などの底面に置くだけで、リング部材８３０が携帯端末３に対する一種の背面据置台として働くことにより、携帯端末３を卓上などの底面に対して容易に据え置くことが可能になる。
本発明に係る携帯端末ケース９００が図２０から図２１に示されている。同図に示すように、本発明に係る携帯端末ケース９００は、両側に係合溝９１３が形成された回転突起９１１が左右転自在に結合されるベースプレート９１０と、係合溝９１３に両端部が上下方向に回動自在に結合されるが、携帯端末３が据え置かれるように回動時に所定の角度で固定され、一方の側には貫通孔が形成されたリング部材９３０と、貫通孔を貫通して係合される係合螺子９４０とを備える携帯端末用のフィンガーリング９００と、携帯端末３を取り囲み、表面に回転突起９１１が嵌入される収容溝１０１２が形成された本体１０００と、を備える。
ここで、本体１０００は携帯端末３を取り囲んで保護し、ベースプレート９１０の回転突起９１１が嵌入される収容溝１０１３が一方の側に形成される。携帯端末用のフィンガーリング９００と本体１０００との接合面は磁石面１０１１に形成して金属面に結合させることが好ましいが、これにより、携帯端末用のフィンガーリング９００が本体１０００に着脱可能になる。
そして、携帯端末用のフィンガーリング９００は、本体１０００に結合されることを除いては、上述の実施形態の構成と同様であるため、その説明は省く。
【符号の説明】
【０００９】
１００、２００、３００、４００：本発明に係る携帯端末用のフィンガーリング、
３：携帯端末、
１１０、２１０、３１０、４１０：ベースプレート、
１１１、２１１、３１１、４１１：回転突起、
１１３：係合溝、
２１３、３１３、４１３：貫通孔、
１２０、２３０、３３０、４３０：リング部材、
２２０：ゴム管、
３２０：弾性突起、
４２０：バネ、
２４０、３４０、４４０：係合螺子、
１３０、２５０、３５０、４５０：飾り部材、
１４０、２６０、３６０、４６０：取付板、
【図１】
2014503160.tif 000003
【図２】
2014503160.tif 000004
【図３】
2014503160.tif 000005
【図４】
2014503160.tif 000006
【図５】
2014503160.tif 000007
【図６】
2014503160.tif 000008
【図７】
2014503160.tif 000009
【図８】
2014503160.tif 000010
【図９】
2014503160.tif 000011
【図１０】
2014503160.tif 000012
【図１１】
2014503160.tif 000013
【図１２】
2014503160.tif 000014
【図１３】
2014503160.tif 000015
【図１４】
2014503160.tif 000016
【図１５】
2014503160.tif 000017
【図１６】
2014503160.tif 000018
【図１７】
2014503160.tif 000019
【図１８】
2014503160.tif 000020
【図１９】
2014503160.tif 000021
【図２０】
2014503160.tif 000022
【図２１】
2014503160.tif 000023
【国際調査報告】
2014503160.tif 000024
2014503160.tif 000025
2014503160.tif 000026
2014503160.tif 000027